(57)【要約】【課題】重複した封筒の材料無駄を省くとともに必要書類の同封漏れや紛失を防止する。【解決手段】矩形状の封筒上紙片１０の裏面側に、一辺を開口して残りの他辺を接合した矩形状の封筒下紙片２０を設け、封筒上紙片１０の裏面に、切断ミシン目３１を形成した用紙片３０を粘着剤１５で貼着するとともに、封筒下紙片２０の裏面の少なくとも一部分に、封筒下紙片２０と接着対象物との間で剥離可能となる擬似接着ラベル４０を設けるものとする。【選択図】  図２
2004359262.tif 000002
【特許請求の範囲】
【請求項１】
矩形状の封筒上紙片と、前記封筒上紙片の裏面に一辺を開口して残りの他辺が接合された矩形状の封筒下紙片と、前記封筒上紙片または封筒下紙片に対して分離可能に設けられた用紙片と、前記封筒下紙片の裏面の少なくとも一部分に設けられて封筒下紙片と接着対象物との間で剥離可能に擬似接着される擬似接着層と、を備えたことを特徴とする封筒。
【請求項２】
矩形状の封筒上紙片と、前記封筒上紙片の裏面に一辺を開口して残りの他辺が接合された矩形状の封筒下紙片と、前記封筒上紙片または封筒下紙片に対して分離可能に設けられた用紙片と、前記封筒上紙片の表面の少なくとも一部分に設けられて封筒上紙片と接着対象物との間で剥離可能に擬似接着される無色透明の擬似接着層と、を備えたことを特徴とする封筒。
【請求項３】
前記接着対象物が商品を梱包する商品収容ケースであって、前記封筒上紙片または封筒下紙片あるいは用紙片に、前記商品に固有な商品コードやシリアルナンバー等の識別情報が表示されていることを特徴とする請求項１または請求項２に記載の封筒。
【発明の詳細な説明】
【０００１】
【発明の属する技術分野】
本発明は、商品とともに必要書類を配送し、所定事項を記入した申込用紙を返送するときに使用する封筒に関する。
【０００２】
【従来の技術】
例えば、商品配送人が、商品とともに申込用紙等の必要書類を配送する場合がある。このような場合に従来では、商品配送人は、図９に示すように商品を梱包した商品収容ケース１内に両面タック紙５で貼り付けた配送用封筒４を用意して、この配送用封筒４内に申込用紙２と申込用紙２を返送するための返送用封筒３とを同封して配送するという方法を採用していた。
【０００３】
このように、商品とともに必要書類を配送する場合には、申込用紙２と返送用封筒３と配送用封筒４という少なくとも３つの媒体が必要であり、それぞれの媒体を個別に作製しなければならず、重複した封筒の材料無駄が原因で商品配送時のコストアップを招くという問題点が指摘されている。
【０００４】
また、商品配送人側では、申込用紙２と返送用封筒３とを折り畳んで配送用封筒４内に封入するという作業が面倒であり、この封入作業は通常手作業で行なわれることから、人件費がコストアップの要因になるとともに、必要書類の同封漏れや紛失等のトラブルも考えられる。
【０００５】
なお、特許文献１や特許文献２には、申込用紙と封筒とを一体化した発明が開示されている。
【０００６】
【特許文献１】
特開平９−１５６２６２号公報
【０００７】
【特許文献２】
特開平１０−７６７７５号公報
【０００８】
ところが、これらの封筒は、必要書類の同封漏れや紛失等のトラブルについては解消できるものの、商品とともに必要書類を配送する場合に、商品収容ケース１に貼り付ける配送用封筒が別途必要になることには変わりがない。
【０００９】
【発明が解決しようとする課題】
本発明は、上述した問題点を解決するためになされたもので、その目的とするところは、商品配送人が申込用紙を配送するための封筒と、商品受取人が記入した申込用紙を返送するための封筒を兼用することで、重複した封筒の材料無駄を省いてコスト削減に寄与できる封筒を提供することにある。
【００１０】
【課題を解決するための手段】
上述した目的を達成するために、本発明に係る封筒は、矩形状の封筒上紙片と、前記封筒上紙片の裏面に一辺を開口して残りの他辺が接合された矩形状の封筒下紙片と、前記封筒上紙片または封筒下紙片に対して分離可能に設けられた用紙片と、前記封筒下紙片の裏面の少なくとも一部分に設けられて封筒下紙片と接着対象物との間で剥離可能に擬似接着される擬似接着層と、を備えたことを特徴とする。
【００１１】
また、本発明に係る封筒は、矩形状の封筒上紙片と、前記封筒上紙片の裏面に一辺を開口して残りの他辺が接合された矩形状の封筒下紙片と、前記封筒上紙片または封筒下紙片に対して分離可能に設けられた用紙片と、前記封筒上紙片の表面の少なくとも一部分に設けられて封筒上紙片と接着対象物との間で剥離可能に擬似接着される無色透明の擬似接着層と、を備えたことを特徴とする。
【００１２】
本発明において「擬似接着層」とは、通常では封筒下紙片と対象物とを仮接着する役割を果たし、剥離した後には、封筒下紙片と対象物の双方に紙破壊等が起こらず、かつ剥離した面に粘着性が残らずに再接着できなくなる構成をいうものとする。
【００１３】
また、具体的な使用形態として、前記接着対象物が商品を梱包する商品収容ケースであって、前記封筒上紙片または封筒下紙片あるいは用紙片に、前記商品に固有な商品コードやシリアルナンバー等の識別情報が表示されていると良い。その理由は、商品配送人が、配送した商品の商品コードやシリアルナンバーと返送された封筒や申込用紙に表示されたそれとを照合して管理することができるようにするためである。
【００１４】
【発明の実施の形態】
以下、本発明の実施の形態について、添付した図面を参照しながら詳細に説明する。
【００１５】
本実施形態の封筒Ｅは、図１乃至図４に示すように、返信先が表示される矩形状の封筒上紙片１０の裏面に矩形状の封筒下紙片２０が一辺を開口して残りの他辺が接合されている。また、封筒上紙片１０に対して用紙片３０が分離可能に設けられており、封筒下紙片２０の裏面には擬似接着手段の一例として擬似接着ラベル４０が設けられている。
【００１６】
本実施形態では、図２に示すように、封筒上紙片１０と封筒下紙片２０とが矩形状の単片シートＳを用いて作製される。すなわち、単片シートＳの側辺に直交して図中上下に略２等分する中央折返しライン１１によって封筒上紙片１０と封筒下紙片２０とに区画され、同図に示した連続面が封筒上紙片１０の裏面と封筒下紙片２０の表面になる。
【００１７】
封筒下紙片２０の表面には両側縁部２０ａ，２０ｂに沿って粘着剤２１，２１が所定幅で均一に塗布されていて、単片シートＳを中央折返しライン１１に沿って谷折りすることで封筒上紙片１０と封筒下紙片２０とが接合される。ここで、粘着剤２１の形成箇所としては、封筒上紙片１０の裏面側に塗布しても良く、封筒底部の剛性を強化するために中央折返しライン１１に沿って追加して塗布することも可能である。
【００１８】
このようにして単片シートＳの上下端部が封筒開口部になり、中央折返しライン１１が封筒底部になる。また、封筒底部の両コーナーに当たる箇所には粘着剤２１を塗布しない所定の間隙２１ｇ，２１ｇが形成されている。これにより、封筒上紙片１０と封筒下紙片２０とを圧着したときに封筒内部の余分な空気が抜けて粘着剤２１が均一に延ばされる。よって、シワの発生を防止できるとともに封筒周縁部における厚みを一定にすることができる。
【００１９】
封筒上紙片１０の裏面の上端部には、単片シートＳの側辺と直交する上部折返しライン１２を境界としてフラップ１３が形成され、フラップ１３には上部折返しライン１２に沿って帯状の接着剤を塗布し、その上に台紙に剥離剤を塗布した剥離紙を貼付して封緘部１４が設けられている。
【００２０】
ところで、本実施形態では、用紙片３０を封筒に対して分離可能に設ける構成として用紙片３０を貼着する構成を採用している。封筒上紙片１０の裏面の上端部には上述した封緘部１４が設けられているので、用紙片３０の紙面をより大きく確保する観点からすると、用紙片３０は封筒上紙片１０の裏面の下端部に貼着すると良い。
【００２１】
すなわち、本実施形態では、封筒上紙片１０の裏面の下端部に単片シートＳの側辺と直交する帯状の粘着剤１５が塗布され、この粘着剤１５によって用紙片３０の一辺が貼着されている。また、用紙片３０を封筒上紙片１０から分離するための構成として、用紙片３０を横断する切断ミシン目３１が形成されている。さらに、用紙片３０の表面に図示しない粘着剤を塗布して複数枚の用紙片を綴本状に貼着していけば、申込用紙だけでなくカタログやパンフレット等のより多くの書類を同封して配送できるようになる。
【００２２】
一方、封筒下紙片２０の裏面には、封筒下紙片２０と接着対象物となる商品収容ケース１との間で剥離可能に擬似接着される擬似接着層を有する擬似接着ラベル４０が設けられている。本発明において「擬似接着層」とは、通常では封筒下紙片と対象物とを仮接着する役割を果たし、剥離した後には、封筒下紙片と対象物の双方に紙破壊等が起こらず、かつ剥離した面に粘着性が残らずに再接着できなくなる構成をいうものとする。
【００２３】
すなわち、この擬似接着ラベル４０は次のように構成されている。図３と図４に示すように、封筒下紙片２０の裏面に塗布されたホットメルト系の粘着剤４１によってポリエチレンテレフタレート（ＰＥＴ）やポリプロピレン等の透明な樹脂フィルムで構成される第１の擬似接着層４２が接着される。また、第１の擬似接着層４２の裏面には、同様な樹脂フィルムで構成される第２の擬似接着層４３が積層され、第１の擬似接着層４２と第２の擬似接着層４３とが専用シーラー機で熱圧着されて擬似接着状態となる。さらに、第２の擬似接着層４３の裏面にもホットメルト系の粘着剤４４が塗布され、粘着剤４４の裏面には台紙表面に剥離剤が塗布された剥離紙４５が貼付される。
【００２４】
この擬似接着ラベル４０は、剥離紙４５を剥がして露出した粘着剤４４によって封筒Ｅを貼付することができるとともに、第１の擬似接着層４２と第２の擬似接着層４３との間の擬似接着面Ｐを介して剥離することができるように構成されている。
【００２５】
なお、本実施形態では、擬似接着ラベル４０が封筒下紙片２０の裏面に、周縁部に若干の余白を残してほぼ全面にわたって設けられているが、コスト削減の観点からすると、封筒下紙片２０の裏面の上下両縁部、左右両縁部、中央部等のようにある一部分に限定して設けられていても良い。また、剥がした後に封筒側に残る第１の擬似接着層４２が無色透明であれば返信先の表示が見えるので、擬似接着ラベル４０を封筒上紙片１０の表面側に設けることも可能である。
【００２６】
さらに、具体的な使用形態として、この封筒Ｅを商品とともに配送する場合を想定して、用紙片３０の表面に、商品に固有な商品コードやシリアルナンバー等の識別情報Ｎが表示されている。
【００２７】
以上、本実施形態の封筒Ｅの構成について一通り説明したが、上述した用紙片３０を貼着する構成としては以下のような様々な変形例が考えられる。
【００２８】
例えば、図５に示すように、用紙片３０を貼着する面としては、封筒下紙片２０の表面側に中央折返しライン１１に沿って塗布した粘着剤１５によって貼着することもできる。
【００２９】
また、図６に示すように、粘着剤１５を塗布する箇所としては、単片シートＳの側辺に沿って平行に塗布することも可能である。同図に示すように、粘着剤１５を単片シートＳの側辺に沿って塗布する場合には、封筒上紙片１０と封筒下紙片２０とを貼着する粘着剤２１のいずれか一方側の塗布幅２１ｗを広げて塗布することで、粘着剤１５と粘着剤２１とを一度の作業で形成することができるので作製工数の削減が可能になる。
【００３０】
さらに、図７に示すように、用紙片３０を封筒に対して分離可能に設ける構成としては、用紙片３０を封筒上紙片１０または封筒下紙片２０におけるいずれか一辺に連設する構成を採用することもできる。すなわち、用紙片３０を封筒上紙片１０の上端部の一辺に連続するように設け、用紙片３０と封筒上紙片１０との境界部分に用紙片３０を横断する切断ミシン目３１を形成すれば良い。このような構成を採用すると、封筒上紙片１０と封筒下紙片２０と用紙片３０とを単片シートＳから作製することができるので、工程の簡略化とコスト削減に繋がるという利点がある。
【００３１】
次に、本発明に係る封筒の使用形態について説明する。
【００３２】
図８（ａ）に示すように、この封筒Ｅの使用形態としては、商品配送人が封筒上紙片１０の表面に返送先を表示し、封筒上紙片１０または封筒下紙片２０あるいは用紙片３０に商品に固有な商品コードやシリアルナンバー等の識別情報を表示する。その後、封筒下紙片２０の裏面に設けられた擬似接着ラベル４０の剥離紙４５を剥がし、封筒Ｅを商品収容ケース１に貼り付けて用紙片３０を申込用紙等の書類として作成して商品と一緒に配送する（同図▲１▼参照）。
【００３３】
一方、図８（ｂ）に示すように、商品受取人は申込用紙である用紙片３０を切断ミシン目３１に従って封筒Ｅから切り離す（同図▲２▼参照）。そして、この用紙片３０に所定事項を記入した後に、第１の擬似接着層４２と第２の擬似接着層４３との間の擬似接着面Ｐを介して封筒Ｅを商品収容ケース１から剥がす（同図▲３▼参照）。このとき、第２の擬似接着層４３は粘着剤４４によって商品収容ケース１側に残りケースの材質を破壊することがない。また、第１の擬似接着層４２は粘着剤４１によって封筒Ｅ側に残り封筒Ｅに粘着性が残ることなく剥離される。このため、剥がした封筒Ｅを返送用封筒として使用することが可能になる。
【００３４】
したがって、商品受取人は、図８（ｃ）に示すように、所定事項を記入した用紙片３０を封筒Ｅ内に同封し（同図▲４▼参照）、封緘部１４の剥離紙を剥がして封緘し、商品配送人に返送することができる（同図▲５▼参照）。
【００３５】
このように、商品配送人が申込用紙を配送するための封筒と、商品受取人が記入した申込用紙を返送するための封筒を兼用することで、重複した封筒の材料無駄を省いてコスト削減に寄与できる。
【００３６】
また、用紙片３０を切り離すまでは、用紙片３０と封筒Ｅとが一体に形成されているため、従来のように商品配送時に申込用紙２や返送用封筒３を折り畳んで配送用封筒４内に封入するという面倒な作業を廃止できる。さらに、複数枚の用紙片がバラバラになることがなく、必要書類の同封漏れや紛失等のトラブルを確実に防止できる。
【００３７】
さらに、封筒または申込用紙には、商品に固有な商品コードやシリアルナンバー等の識別情報が表示されているため、商品配送人は、配送した商品の商品コードやシリアルナンバーと返送された封筒や申込用紙に表示されたそれとを照合して管理することもできる。
【００３８】
【発明の効果】
以上、詳細に説明したように、本発明に係る封筒によれば以下のような効果を奏する。
【００３９】
商品配送人が申込用紙等の必要書類を商品受取人に配送するための封筒と、商品受取人が記入した申込用紙を商品配送人に返送するための封筒とを兼用することができ、従来の配送用封筒と返送用封筒といった重複した封筒の材料無駄を省いてコスト削減を図ることができる。
【００４０】
また、申込用紙等の必要書類を切り離すまでは、用紙片と封筒とが一体に形成されているため、商品配送人側において、従来のように商品配送時に申込用紙と返送用封筒とを折り畳んで配送用封筒内に封入するという面倒な作業を廃止できるとともに、複数枚の用紙片がバラバラになることがなく、必要書類の同封漏れや紛失等のトラブルを確実に防止できる。
【図面の簡単な説明】
【図１】本発明に係る封筒の外観を示す平面図。
【図２】図１に示す封筒の展開図。
【図３】図１に示す封筒のＩＩＩ−ＩＩＩ線断面図。
【図４】図１に示す封筒のＩＶ−ＩＶ線断面図。
【図５】本発明に係る封筒の他の構成例を示す展開図。
【図６】本発明に係る封筒の他の構成例を示す展開図。
【図７】本発明に係る封筒の他の構成例を示す展開図。
【図８】本発明に係る封筒の使用形態を示す説明図。
【図９】従来の商品配送時の状態を示す説明図。
【符号の説明】
Ｅ…封筒
Ｓ…単片シート
Ｎ…識別情報
１０…封筒上紙片
１１…中央折返しライン
１２…上部折返しライン
１３…フラップ
１４…封緘部
１５…粘着剤
２０…封筒下紙片
２０ａ，２０ｂ…両側縁部
２１…粘着剤
２１ｇ…間隙
２１ｗ…塗布幅
３０…用紙片
３１…切断ミシン目
４０…擬似接着ラベル
４１…粘着剤
４２…第１の擬似接着層
４３…第２の擬似接着層
４４…粘着剤
４５…剥離紙
【図１】
2004359262.tif 000003
【図２】
2004359262.tif 000004
【図３】
2004359262.tif 000005
【図４】
2004359262.tif 000006
【図５】
2004359262.tif 000007
【図６】
2004359262.tif 000008
【図７】
2004359262.tif 000009
【図８】
2004359262.tif 000010
【図９】
2004359262.tif 000011